【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
角膜内皮細胞解析装置のプロセッサに実行されることによって、
被検眼の角膜の内皮細胞を含む撮影画像を取得する取得ステップと、
前記取得ステップによって取得される前記撮影画像をモニタ上に表示する表示制御ステップと、
前記モニタ上に表示される前記撮影画像に対して各々の前記内皮細胞の領域を、検者による指示を受け付ける指示受付手段によって１つ又は複数の細胞毎に受け付ける指示に応じて設定する領域設定ステップと、
前記領域設定ステップによって設定される前記内皮細胞の領域に基づいて前記被検眼の前記内皮細胞に関する解析結果を取得する細胞解析ステップと、を角膜内皮細胞解析装置に実行させる角膜内皮細胞解析プログラムであって、
前記領域設定ステップでは、前記内皮細胞の領域を手動で設定するための第一のマニュアル設定方式、および前記第一の設定方式とは異なる設定方式で前記内皮細胞の領域を手動で設定するための第二のマニュアル設定方式を少なくとも用いて前記内皮細胞の領域が設定され、
前記細胞解析ステップでは、一つの前記撮影画像に対して前記領域設定ステップによって前記第一のマニュアル設定方式で設定される前記内皮細胞の領域、および前記第二のマニュアル設定方式で設定される前記内皮細胞の領域を含む統合された前記内皮細胞の領域に対する前記解析結果を取得する角膜内皮細胞解析プログラム。
【請求項２】
前記表示制御ステップでは、前記領域設定手段によって前記第一のマニュアル設定方式で設定される前記内皮細胞の領域、および前記第二のマニュアル設定方式で設定される前記内皮細胞の領域を、一つの前記撮影画像上に統合表示することを特徴とする請求項１記載の角膜内皮細胞解析プログラム。
【請求項３】
前記表示制御ステップでは、前記細胞解析ステップによる前記解析結果と共に、前記領域設定ステップによって設定された細胞の領域が解析されたことを示す情報を、モニタ上に表示することを特徴とする請求項１又は２記載の角膜内皮細胞解析プログラム。
【請求項４】
前記表示制御ステップでは、前記細胞解析ステップによる前記解析結果と共に、前記細胞解析ステップによって解析された前記内皮細胞の領域の設定方式を示す情報をモニタ上に表示することを特徴とする請求項１から３の何れかに記載の角膜内皮細胞解析プログラム。
【請求項５】
角膜内皮細胞解析装置のプロセッサに実行されることによって、
検者による指示を受け付ける指示受付ステップと、
被検眼の角膜の内皮細胞を含む撮影画像を取得する取得ステップと、
前記取得手段によって取得される前記撮影画像をモニタ上に表示する表示制御ステップと、
前記モニタ上に表示される前記撮影画像に対して、各々の前記内皮細胞の領域を前記指示受付ステップによって少なくとも一つの細胞毎に受け付ける指示に応じて設定する領域設定ステップと、
前記領域設定ステップによって設定される前記内皮細胞の領域に基づいて前記被検眼の前記内皮細胞に関する解析結果を取得する細胞解析ステップと、を角膜内皮細胞解析装置  に実行させる角膜内皮細胞解析プログラムであって、
前記領域設定ステップでは、センター法、および、センター法とは異なる第二のマニュアル設定方式を少なくとも用いて前記内皮細胞の領域が設定され、
一つの前記撮影画像に対して、前記センター法で設定される前記内皮細胞の領域に関する情報と、前記第二の設定方式で設定される前記内皮細胞の領域に関する情報との両方を、少なくとも一時的に記憶部に記憶する記憶制御ステップを、更に、角膜内皮細胞解析装置  に実行させる角膜内皮細胞解析プログラム。
【手続補正２】
【補正対象書類名】明細書
【補正対象項目名】発明の名称
【補正方法】変更
【補正の内容】
【発明の名称】角膜内皮細胞解析プログラム
【手続補正３】
【補正対象書類名】明細書
【補正対象項目名】０００１
【補正方法】変更
【補正の内容】
【０００１】
本発明は、角膜内皮細胞解析プログラムに関する。
【手続補正４】
【補正対象書類名】明細書
【補正対象項目名】０００５
【補正方法】変更
【補正の内容】
【０００５】
本発明は、従来技術の問題点に鑑みてなされたものであり、被検眼の内皮細胞を良好に解析できる角膜内皮細胞解析プログラムを提供することを目的とするものである。
【手続補正５】
【補正対象書類名】明細書
【補正対象項目名】０００６
【補正方法】変更
【補正の内容】
【０００６】
本発明の第一態様に係る角膜内皮細胞解析プログラムは、角膜内皮細胞解析装置のプロセッサに実行されることによって、被検眼の角膜の内皮細胞を含む撮影画像を取得する取得ステップと、前記取得ステップによって取得される前記撮影画像をモニタ上に表示する表示制御ステップと、前記モニタ上に表示される前記撮影画像に対して各々の前記内皮細胞の領域を、検者による指示を受け付ける指示受付手段によって１つ又は複数の細胞毎に受け付ける指示に応じて設定する領域設定ステップと、前記領域設定ステップによって設定される前記内皮細胞の領域に基づいて前記被検眼の前記内皮細胞に関する解析結果を取得する細胞解析ステップと、を角膜内皮細胞解析装置に実行させる角膜内皮細胞解析プログラムであって、前記領域設定ステップでは、前記内皮細胞の領域を手動で設定するための第一のマニュアル設定方式、および前記第一の設定方式とは異なる設定方式で前記内皮細胞の領域を手動で設定するための第二のマニュアル設定方式を少なくとも用いて前記内皮細胞の領域が設定され、前記細胞解析ステップでは、一つの前記撮影画像に対して前記領域設定ステップによって前記第一のマニュアル設定方式で設定される前記内皮細胞の領域、および前記第二のマニュアル設定方式で設定される前記内皮細胞の領域を含む統合された前記内皮細胞の領域に対する前記解析結果を取得する。
【手続補正６】
【補正対象書類名】明細書
【補正対象項目名】０００７
【補正方法】変更
【補正の内容】
【０００７】
本発明の第二態様に係る角膜内皮細胞解析プログラムは、角膜内皮細胞解析装置のプロセッサに実行されることによって、検者による指示を受け付ける指示受付ステップと、被検眼の角膜の内皮細胞を含む撮影画像を取得する取得ステップと、前記取得手段によって取得される前記撮影画像をモニタ上に表示する表示制御ステップと、前記モニタ上に表示される前記撮影画像に対して、各々の前記内皮細胞の領域を前記指示受付ステップによって少なくとも一つの細胞毎に受け付ける指示に応じて設定する領域設定ステップと、前記領域設定ステップによって設定される前記内皮細胞の領域に基づいて前記被検眼の前記内皮細胞に関する解析結果を取得する細胞解析ステップと、を角膜内皮細胞解析装置  に実行させる角膜内皮細胞解析プログラムであって、前記領域設定ステップでは、センター法、および、センター法とは異なる第二のマニュアル設定方式を少なくとも用いて前記内皮細胞の領域が設定され、一つの前記撮影画像に対して、前記センター法で設定される前記内皮細胞の領域に関する情報と、前記第二の設定方式で設定される前記内皮細胞の領域に関する情報との両方を、少なくとも一時的に記憶部に記憶する記憶制御ステップを、更に、角膜内皮細胞解析装置  に実行させる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】